(57)【特許請求の範囲】
【請求項１】
処理を実行する処理手段と、
前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況を表す情報のサイズに応じて前記第１の通知及び前記第２の通知のいずれを行うかを決定する通知手段と
を備える情報処理装置。
【請求項２】
処理を実行する処理手段と、
前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況が変化する度合いに応じて前記第１の通知及び前記第２の通知のいずれを行うかを決定する通知手段と
を備える情報処理装置。
【請求項３】
請求項１に記載の情報処理装置と、
処理の状況を表示する表示装置であって、前記第１の通信を前記情報処理装置と行うと、前記状況の通知を要求するＨＴＴＰリクエストを前記情報処理装置に送信する表示装置と
を備える情報処理システム。
【請求項４】
前記通知手段は、前記第１の通信により、発生した状況を表す情報のサイズを前記表示装置に通知し、
前記表示装置は、前記第１の通信により通知された前記サイズに応じて当該状況の通知を要求するＨＴＴＰリクエストを送信するか否かを決定する
請求項３に記載の情報処理システム。
【請求項５】
請求項２に記載の情報処理装置と、
処理の状況を表示する表示装置であって、前記第１の通信を前記情報処理装置と行うと、前記状況の通知を要求するＨＴＴＰリクエストを前記情報処理装置に送信する表示装置と
を備える情報処理システム。
【請求項６】
前記通知手段は、前記第１の通信により、発生した状況が変化する度合いを前記表示装置に通知し、
前記表示装置は、前記第１の通信により通知された前記度合いに応じて当該状況の通知を要求するＨＴＴＰリクエストを送信するか否かを決定する
請求項５に記載の情報処理システム。
【請求項７】
コンピュータを、
処理を実行する処理手段と、
前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況を表す情報のサイズに応じて前記第１の通知及び前記第２の通知のいずれを行うかを決定する通知手段
として機能させるためのプログラム。
【請求項８】
コンピュータを、
処理を実行する処理手段と、
前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況が変化する度合いに応じて前記第１の通知及び前記第２の通知のいずれを行うかを決定する通知手段
として機能させるためのプログラム。
【発明の詳細な説明】
【技術分野】
【０００１】
本発明は、情報処理装置、情報処理システム及びプログラムに関する。
【背景技術】
【０００２】
特許文献１には、サービスの実行の指示を示すＨＴＴＰ（Hypertext Transfer Protocol）リクエストに対するＨＴＴＰレスポンスとしてサービスの完了通知またはエラー通知を送信する技術が記載されている。
【先行技術文献】
【特許文献】
【０００３】
【特許文献１】特開２０１１−４８８５７号公報
【発明の概要】
【発明が解決しようとする課題】
【０００４】
本発明は、通知の対象となる状況が発生した場合に、その状況を通知させるか否かを通知先で選べるようにすることを目的とする。
【課題を解決するための手段】
【０００５】
本発明の請求項１に係る情報処理装置は、処理を実行する処理手段と、前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況を表す情報のサイズに応じて前記第１の通知及び前記第２の通知のいずれを行うかを決定する通知手段とを備えることを特徴とする。
【０００６】
本発明の請求項２に係る情報処理装置は、処理を実行する処理手段と、前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況が変化する度合いに応じて前記第１の通知及び前記第２の通知のいずれを行うかを決定する通知手段とを備えることを特徴とする。
【０００７】
本発明の請求項３に係る情報処理システムは、請求項１に記載の情報処理装置と、処理の状況を表示する表示装置であって、前記第１の通信を前記情報処理装置と行うと、前記状況の通知を要求するＨＴＴＰリクエストを前記情報処理装置に送信する表示装置とを備えることを特徴とする。
【０００８】
本発明の請求項４に係る情報処理システムは、請求項３に記載の構成において、前記通知手段は、前記第１の通信により、発生した状況を表す情報のサイズを前記表示装置に通知し、前記表示装置は、前記第１の通信により通知された前記サイズに応じて当該状況の通知を要求するＨＴＴＰリクエストを送信するか否かを決定することを特徴とする。
【０００９】
本発明の請求項５に係る情報処理システムは、請求項２に記載の情報処理装置と、処理の状況を表示する表示装置であって、前記第１の通信を前記情報処理装置と行うと、前記状況の通知を要求するＨＴＴＰリクエストを前記情報処理装置に送信する表示装置とを備えることを特徴とする。
【００１０】
本発明の請求項６に係る情報処理システムは、請求項５に記載の構成において、前記通知手段は、前記第１の通信により、発生した状況が変化する度合いを前記表示装置に通知し、前記表示装置は、前記第１の通信により通知された前記度合いに応じて当該状況の通知を要求するＨＴＴＰリクエストを送信するか否かを決定することを特徴とする。
【００１１】
本発明の請求項７に係るプログラムは、コンピュータを、処理を実行する処理手段と、前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況を表す情報のサイズに応じて前記第１の通知及び前記第２の通知のいずれを行うかを決定する通知手段として機能させることを特徴とする。
【００１２】
本発明の請求項８に係るプログラムは、コンピュータを、処理を実行する処理手段と、前記処理の状況を表示する表示装置に当該状況を通知する通知手段であって、通知の対象となる前記状況が発生した場合に前記表示装置に対して自装置から発信する第１の通信を行い、当該第１の通信を行った表示装置からのＨＴＴＰ（Hypertext Transfer Protocol）リクエストに対するＨＴＴＰレスポンスを送信する第２の通信により、発生した当該状況を通知する通知手段であって、発生した前記状況を前記第２の通信により通知する第１の通知の他に、当該状況が発生した場合に前記第１の通信を行わず且つ自装置から発信する第３の通信により当該状況を前記表示装置に通知する第２の通知を行い、発生した前記状況が変化する度合いに応じて前記第１の通知及び前記第２の通知のいずれを行うかを決定する通知手段として機能させることを特徴とする。
【発明の効果】
【００１３】
請求項１、２、３、５、７、８に係る発明によれば、通知の対象となる状況が発生した場合に、その状況を通知させるか否かを通知先で選べるようにすることができる。
請求項１、２、３、５、７、８に係る発明によれば、表示装置からの要求に対する応答で通知を行う場合に比べて、発生した状況を早く通知することができる。
請求項１、２、３、５、７、８に係る発明によれば、第１及び第２の通知のいずれを行うかについて本発明に係る方法での決定を行わない場合に比べて、通知の有用性を高めることができる。
請求項４、６に係る発明によれば、ＨＴＴＰリクエストを送信するか否かについて本発明に係る方法での決定を行わない場合に比べて、通知の有用性を高めることができる。
【図面の簡単な説明】
【００１４】
【図１】実施形態の情報処理システムの全体構成の一例を示すブロック図
【図２】ユーザ装置のハードウェア構成の一例を示すブロック図
【図３】操作装置のハードウェア構成の一例を示すブロック図
【図４】情報処理装置のハードウェア構成の一例を示すブロック図
【図５】情報処理システムの機能構成の一例を示すブロック図
【図６】表示された操作画像の一例を示す図
【図７】表示された状況情報の例を示す図
【図８】表示された状況情報の例を示す図
【図９】表示された状況情報の別の例を示す図
【図１０】情報処理システムの構成を表す階層構造の一例を示す図
【図１１】機能部に含まれるモジュール群の一例を示す図
【図１２】情報処理システム１の構成を表す階層構造の一例を示す図
【図１３】実行処理における各装置の動作の一例を示すシーケンス図
【図１４】実行処理における各装置の動作の別の一例を示すシーケンス図
【図１５】第１の通知方法が用いられる場合の各装置の動作の一例を示すシーケンス図
【図１６】第２の通知方法が用いられる場合の各装置の動作の一例を示すシーケンス図
【図１７】第３の通知方法が用いられる場合の各装置の動作の一例を示すシーケンス図
【図１８】第４の通知方法が用いられる場合の各装置の動作の一例を示すシーケンス図
【図１９】第５の通知方法が用いられる場合の各装置の動作の一例を示すシーケンス図
【図２０】第１の通信により通知された情報の一例を示す図
【図２１】第２の通信により通知された状況の一例を示す図
【図２２】変形例の情報処理装置のハードウェア構成の一例を示す図
【図２３】変形例の情報処理装置のハードウェア構成の一例を示す図
【図２４】状況画像の一例を示す図
【発明を実施するための形態】
【００１５】
［１］実施形態
まず、図１から図１２までを参照して、実施形態の情報処理システムの全体構成、ハードウェア構成及び機能構成について説明する。
［１−１］全体構成
図１は、情報処理システムの全体構成の一例を示すブロック図である。図１では、通信回線２と、通信機器３と、情報処理装置１０と、複数のユーザ装置２０とを備える情報処理システム１が示されている。情報処理システム１は、本実施形態では、コピーやスキャン、ＦＡＸ（ファクシミリ）、プリント（画像データの媒体への出力）などの機能をユーザに提供するシステムである。
【００１６】
通信回線２は、例えばインターネットや移動体通信網、電話回線などのうちの少なくとも１つ以上を含む通信のためのシステムである。通信回線２は、自システムに接続された装置同士の通信を仲介する。通信回線２には、情報処理装置１０及び通信機器３が接続されている。通信機器３は、ルータやハブ、アクセスポイントなど、通信を仲介する機能を有する通信装置である。通信機器３は、本実施形態では、アクセスポイントであり、無線ＬＡＮの規格に準拠して無線通信を行う。
【００１７】
通信機器３は、ユーザ装置２０と無線通信を行う一方、通信回線２を介して情報処理装置１０と通信する。つまり、情報処理装置１０は、通信回線２という通信システムと、通信機器３という外部の通信装置とを介してユーザ装置２０と通信する。なお、通信機器３は、ユーザ装置２０が接続する通信装置の一例であり、ユーザ装置２０は、他の通信装置を介して情報処理装置１０と通信してもよい。ただし、ここでいう「他の通信装置」には、情報処理装置１０及び操作装置３０は含まれない。以下では、「他の通信装置」といった場合、情報処理装置１０、ユーザ装置２０及び操作装置３０のいずれでもない通信装置を指すものとする。
【００１８】
情報処理装置１０は、媒体に画像を形成する画像形成処理や、媒体に形成された画像を読み取る画像読取処理などの処理を行う装置である。これらの処理は、前述したコピーやスキャン、ＦＡＸ、プリントなどの機能がユーザに提供される際に行われる。情報処理装置１０は、自装置の操作に用いられる操作装置３０を有する。操作装置３０は、情報処理装置１０を操作するための装置である。操作装置３０は、情報処理装置１０の筐体に固定されており、情報処理装置１０が設置されている場所に来たユーザによって用いられる。操作装置３０は、例えば液晶ディスプレイ等を有し、情報処理装置１０を操作するための画像（以下「操作画像」という）を表示する。操作画像について、図６を参照して説明する。
【００１９】
図６は、表示された操作画像の一例を示す図である。図６の例では、コピー機能を利用するための操作画像群Ａ１が表示されている。操作画像群Ａ１には、コピーを開始させるための操作画像Ａ１１などが含まれている。ユーザは、この操作画像Ａ１１をタップする（軽く叩く）ことで、操作画像Ａ１１に対応する操作、すなわちコピーを開始させる操作を行う。操作装置３０は、表示した操作画像に対する操作が行われると、情報処理装置１０に対して、その操作に対応する要求を行う。操作装置３０は、操作画像Ａ１１が操作された場合であれば、コピー機能を提供するための処理（具体的には画像読取処理及び画像形成処理を含む一連の処理。以下「コピー処理」という）の要求を情報処理装置１０に対して行う。
【００２０】
ユーザ装置２０は、操作画像を表示し、表示した操作画像に対して操作が行われると、その操作に対応した処理の要求を情報処理装置１０に対して行うという点で、操作装置３０と共通している。ユーザ装置２０は、例えばタブレット端末やパーソナルコンピュータなどであり、ユーザによって持ち運ばれて利用されるものでもよいし、机に設置されて利用されるものでもよい。また、情報処理装置１０の操作に限らず、他の用途（会社の業務など）にも用いられてもよい。
【００２１】
情報処理装置１０は、操作装置３０やユーザ装置２０からの要求に基づいて処理を実行すると、実行している処理の状況を表す情報（以下「状況情報」という）をこれらの装置に送信することで、これらの装置に対して処理の状況を通知する。
図７は、表示された状況情報の例を示す図である。情報処理装置１０は、例えばコピー処理を実行した場合であれば、図７（ａ）に示すように、コピーが完了した枚数（部数及びページ数）を表す枚数情報Ｃ１１や「コピーしています。」という文字列、「白黒」、「Ａ４」、「１００％」及び「ソート」というコピーのパラメータなどを含む状況情報Ｃ１を送信する。
【００２２】
また、情報処理装置１０は、コピー処理が進んで要求された枚数のコピーが完了すると、図７（ｂ）に示すように、要求された枚数の分のコピーが完了したことを表す枚数情報Ｃ２１や「コピーが完了しました。」という文字列などを含む状況情報Ｃ２を送信する。なお、枚数情報Ｃ１１及びＣ２１は、コピーを要求された枚数を分母とし、そのうちコピーが完了した枚数を分子とする分数で表されている。このように、状況情報には、処理の進捗を表す情報や処理の結果を表す情報、処理に用いられるパラメータの情報などが含まれる。操作装置３０及びユーザ装置２０は、いずれも、通知された状況を図７に示すように表示する表示装置でもある。以下では、操作装置３０及びユーザ装置２０を区別しない場合には表示装置４という。
【００２３】
［１−２］ハードウェア構成
図２は、ユーザ装置２０のハードウェア構成の一例を示すブロック図である。ユーザ装置２０は、制御部２１と、記憶部２２と、通信部２３と、表示部２４と、操作部２５とを備えるコンピュータである。制御部２１は、ＣＰＵ（Central Processing Unit）、ＲＯＭ（Read Only Memory）、ＲＡＭ（Random Access Memory）及びリアルタイムクロックを備え、ＣＰＵが、ＲＡＭをワークエリアとして用いてＲＯＭや記憶部２２に記憶されたプログラムを実行することによって各部の動作を制御する。リアルタイムクロックは、現在の日時を算出してＣＰＵに通知する。
【００２４】
記憶部２２は、ハードディスク等を備え、制御部２１が制御に用いるデータやプログラム、画像データなどを記憶する。通信部２３は、無線ＬＡＮ（Local Area Network）の規格に準拠して無線通信を行う通信回路及びアンテナを備える通信手段であり、例えば図１に示す通信機器３と無線通信を行う。つまり、通信部２３は、上述した他の通信装置（情報処理装置１０、ユーザ装置２０及び操作装置３０のいずれでもない通信装置。通信機器３はその一例）と通信する手段である。表示部２４は、例えば液晶ディスプレイを有し、制御部２１により制御されて表示面に画像を表示する。
【００２５】
操作部２５は、例えば自装置がタブレット端末である場合には、表示面に重ねて設けられたタッチセンサ（タッチスクリーンやタッチパネルともいう）や筐体に設けられたボタン等を備え、上述したタップ等のユーザの操作を受け付けてその操作の内容を示す操作データを制御部２１に供給する。なお、自装置がパーソナルコンピュータである場合には、操作部２５はキーボードやマウスを備えていてもよい。制御部２１は、供給された操作データに応じた制御を行う。
【００２６】
図３は、操作装置３０のハードウェア構成の一例を示すブロック図である。操作装置３０は、制御部３１と、記憶部３２と、通信部３３と、表示部３４と、操作部３５とを備えるコンピュータである。以下、図２に示すブロックと共通のハードウェアを表すブロック（通信部３３以外の各部）には、共通の名称を付して説明を省く。通信部３３は、有線ＬＡＮの規格に準拠して通信を行う通信回路と、通信用のケーブル（具体的にはＬＡＮケーブル）が有するコネクタを差し込むポートとを備える。通信部３３は、前述した他の通信装置を介さず情報処理装置１０と通信する手段である。
【００２７】
図４は、情報処理装置１０のハードウェア構成の一例を示すブロック図である。情報処理装置１０は、制御部１１と、記憶部１２と、画像読取部１３と、画像形成部１４と、第１通信部１５と、第２通信部１６と、接続部１７とを備えるコンピュータである。以下、図２及び図３に示すブロックと共通のハードウェアを表すブロック（制御部１１及び記憶部１２）には、共通の名称を付して説明を省く。また、情報処理装置１０は、ＵＩ（User Interface）部として機能する前述した操作装置３０を備えている。制御部１１は、本実施形態では、操作装置３０以外の各部を制御する。
【００２８】
画像読取部１３は、例えばＣＣＤ（Charge Coupled Devices）方式を用いて、原稿に描かれた画像を読み取る画像読取処理を行う。画像読取部１３は、用紙等の媒体に形成されたコンテンツの画像を光学的に読み取って、読み取った画像を表す画像データを制御部１１に供給する。画像形成部１４は、例えば電子写真方式を用いて、媒体に画像を形成する画像形成処理を行う。画像形成部１４は、制御部１１から供給される画像データが示す画像を用紙等の媒体に形成する。なお、画像の読み取り及び画像の形成に用いられる前述した方式は、それぞれ一例であり、他の方式であってもよい。
【００２９】
第１通信部１５は、有線ＬＡＮの規格に準拠して通信を行う通信回路と、通信用のケーブル（ＬＡＮケーブル）が有するコネクタを差し込むポートとを備え、このケーブルを介して接続される装置と通信する通信処理を行う。第１通信部１５は、図１に示す通信回線２に接続されて、外部装置（情報処理装置１０にとっての外部装置であり、例えば通信機器３）を介して例えばユーザ装置２０と通信する。また、第１通信部１５は、通信用のケーブルを介して操作装置３０の通信部３３と接続され、前述した外部装置を介さずに操作装置３０と通信する。つまり、通信部３３も、前述した外部装置を介さずに情報処理装置１０と通信する。
【００３０】
第２通信部１６は、ＦＡＸ通信を行うための通信回路を備え、ＦＡＸのデータをやり取りする処理、すなわちＦＡＸ通信処理を行う。接続部１７は、ＳＤメモリーカード等の記憶媒体を接続するスロット等を有し、それらの記憶媒体と接続する。制御部１１は、接続部１７を介して、それらの記憶媒体に記憶されているデータの読み出しや記憶媒体へのデータの書き込みを行う。操作装置３０は、図３の説明で述べた構成を備え、第１通信部１５と通信する。操作装置３０は、この通信を行うことで、例えば制御部１１から送信されてくるデータが示す画像を表示したり、情報処理装置１０を操作するためのデータを制御部１１に送信したりするユーザインターフェース部（ＵＩ部）として機能する。
【００３１】
［１−３］機能構成
情報処理装置１０、ユーザ装置２０及び操作装置３０の各制御部が各記憶部に記憶されているプログラムを実行して各部を制御することで、以下に述べる機能が実現される。
図５は、情報処理システム１の機能構成の一例を示すブロック図である。情報処理装置１０は、仲介手段１０１と、提供手段１０２と、処理手段１０３と、通知手段１０４と、制御手段１０５とを備える。操作装置３０は操作手段３００を備え、ユーザ装置２０は操作手段２００を備える。
【００３２】
［１−３−１］仲介手段
情報処理装置１０の仲介手段１０１は、自装置（情報処理装置１０）と表示装置４との通信を仲介する手段である。より詳細には、仲介手段１０１は、上述した他の通信装置（例えば通信機器３）を介して自装置に接続される表示装置４（本実施形態ではユーザ装置２０）との通信を仲介する。また、仲介手段１０１は、他の通信装置を介さず自装置に接続される表示装置４（本実施形態では操作装置３０）との通信を仲介する。仲介手段１０１が用いる通信の手順（いわゆる通信プロトコル）について以下に説明する。
【００３３】
仲介手段１０１は、表示装置４（ユーザ装置２０及び操作装置３０）と自装置とのＷＷＷ（World Wide Web：ワールドワイドウェブ。以下「ウェブ」という）の規格に準拠した通信を仲介する。仲介手段１０１は、ウェブの規格のうち、ＳＯＡＰ（Simple Object Access Protocol）の規格に準拠し、例えばＸＭＬ（Extensible Markup Language）で記述されたデータ（以下「ＸＭＬデータ」という）の通信を仲介する。仲介手段１０１は、例えば表示装置４から送信されてくるＨＴＴＰ（Hypertext Transfer Protocol）リクエストを示すＸＭＬデータを受け取って後述する提供手段１０２に供給したり、その応答で後述する提供手段１０２から供給されるＨＴＴＰレスポンスを示すＸＭＬデータを受け取って表示装置４に向けて送信したりする。
【００３４】
また、仲介手段１０１は、ＷｅｂＳｏｃｋｅｔの規格にも準拠している。仲介手段１０１は、この規格に基づいて、ＴＣＰ（Transmission Control Protocol）のハンドシェイク手続きで表示装置４が一度接続されたあとは、ＨＴＴＰリクエスト及びＨＴＴＰレスポンスを示すＸＭＬデータの通信だけでなく、例えば提供手段１０２から任意のタイミングで行われる表示装置４へのＸＭＬデータの送信を仲介する。これにより、情報処理システム１においては、表示装置４が発信するＨＴＴＰリクエストによるいわゆるプル型の通信だけでなく、情報処理装置１０から発信するプッシュ型の通信も行われるようになっている。
【００３５】
仲介手段１０１は、以下に述べる提供手段１０２、通知手段１０４、制御手段１０５、表示手段２０１及び３０１（以下、それぞれを区別しない場合は「表示手段４０１」という）、要求手段２０２及び３０２（以下、それぞれを区別しない場合は「要求手段４０２」という）の通信を仲介する。詳細には、仲介手段１０１は、情報処理装置１０の提供手段１０２及び通知手段１０４が表示装置４の表示手段４０１と行う通信をそれぞれ仲介し、表示装置４の要求手段４０２が情報処理装置１０の制御手段１０５と行う通信をそれぞれ仲介する。いずれの場合も、仲介手段１０１は、ユーザ装置２０及び操作装置３０との通信を、共通の通信手順（ＷＷＷやＳＯＡＰ、ＷｅｂＳｏｃｋｅｔなどの規格に準拠した通信の手順）で仲介する。
【００３６】
［１−３−２］提供手段
情報処理装置１０の提供手段１０２は、上述した操作画像を、仲介手段１０１を介して表示装置４に提供する手段である。提供手段１０２は、ユーザ装置２０には、仲介手段１０１及び上述した他の通信装置を介した通信により操作画像を提供する。また、提供手段１０２は、操作装置３０には、仲介手段１０１を介す一方他の通信装置を介さない通信により操作画像を提供する。
【００３７】
提供手段１０２は、操作画像（具体的には操作画像を示す画像データ）を記憶しており、操作画像を要求するＨＴＴＰリクエストを示すＸＭＬデータ（以下「操作画像要求データ」という）が仲介手段１０１を介して送信されてくると、そのＸＭＬデータが要求する操作画像を含むＨＴＴＰレスポンスを示すＸＭＬデータ（以下「操作画像データ」という）を要求元に対して仲介手段１０１を介して送信する。
【００３８】
提供手段１０２は、ユーザ装置２０から操作画像要求データが送信されてきた場合には、それに応答してユーザ装置２０に操作画像データを送信する。また、提供手段１０２は、操作装置３０から操作画像要求データが送信されてきた場合には、それに応答して操作装置３０に操作画像データを送信する。このように操作画像の要求元（ユーザ装置２０及び操作装置３０）に操作画像データを送信することで、提供手段１０２は、それらの要求元に操作画像をそれぞれ提供する。
【００３９】
［１−３−３］処理手段
情報処理装置１０の処理手段１０３は、処理を実行する手段である。処理手段１０３は、上述したコピー処理の他、スキャン処理、ＦＡＸ処理、プリント処理（それぞれスキャン機能、ＦＡＸ機能、プリント機能を提供するための処理）などを実行する。コピー処理には、図４に示す画像読取部１３による画像読取処理及び画像形成部１４による画像形成処理が含まれる。スキャン処理には画像読取処理が含まれ、ＦＡＸ処理には第２通信部１６によるＦＡＸ通信処理が含まれる。また、プリント処理には、第１通信部１５による通信処理及び画像形成処理が含まれる。スキャン処理及びＦＡＸ処理には、他にも、データの取得及び出力の方法に応じて、第２通信部１６を用いたデータ通信処理やデータを記憶部１２に書き込む書込処理、記憶されたデータを記憶部１２から読み出す読出処理などが含まれる。
【００４０】
処理手段１０３が処理を実行すると、様々な状況が発生する。例えばコピー処理であれば、原稿からの画像の読み取り、媒体の搬送の開始、感光体へのトナー像の形成、媒体への画像の形成などである。また、カラー設定や拡大率、ソートの有無などのコピーのパラメータも、コピー処理における状況に含まれる。処理手段１０３は、本実施形態では、処理を実行すると、それらの処理の状況のうち、通知の対象となる状況を表す状況情報を生成し、通知手段１０４に供給する。
【００４１】
通知の対象となる状況とは、例えば、図７に示したコピーの完了枚数や、用紙のサイズなどのパラメータなどである。情報処理装置１０の記憶部１２には通知の対象となる状況を示す一覧が記憶されており、処理手段１０３は、記憶部１２を参照し、処理の状況を表す状況情報のうち、その一覧に含まれる状況を表すものを通知手段１０４に供給する。なお、処理手段１０３は一覧に含まれるか否かに関係なく状況情報を通知手段１０４に供給し、供給された状況情報が一覧に含まれる状況を表すものであるか否かを通知手段１０４が判断してもよい。
【００４２】
［１−３−４］通知手段
情報処理装置１０の通知手段１０４は、処理手段１０３が実行する処理の状況を、仲介手段１０１を介した通信により表示装置４に通知する手段である。通知手段１０４は、本実施形態では、第１から第５までの５つの通知方法を用いて通知を行う。第１及び第２の通知方法では、通知手段１０４は、表示装置４からの要求に対する応答で処理の状況を通知する。具体的には、通知手段１０４は、表示装置４からＨＴＴＰリクエストが仲介手段１０１を介して送信されてきた場合に、そのＨＴＴＰリクエストに対するＨＴＴＰレスポンスに処理手段１０３から供給された状況情報を記述し、仲介手段１０１を介してそのＨＴＴＰレスポンスを表示装置４に送信することで、処理の状況を通知する。
【００４３】
通知手段１０４は、第１の通知方法では、表示装置４からＨＴＴＰリクエストによる処理の要求（以下「処理要求」という）があった場合に、まず、処理手段１０３により実行されるその処理が完了するまで待つ。つまり、ここで要求されている「処理」は、処理手段１０３が行う処理である。そして、通知手段１０４は、処理を要求したＨＴＴＰリクエストに対するＨＴＴＰレスポンスにその処理が完了したときの状況、すなわち処理の結果を記述して送信することで、記述した処理の結果を表示装置４に通知する。
【００４４】
通知手段１０４は、第２の通知方法では、表示装置４からＨＴＴＰリクエストによる処理要求があった場合に、要求された処理の完了を待たずに、そのＨＴＴＰリクエストに対するＨＴＴＰレスポンスにより、まずは処理要求が受け付けられた旨を通知する。それ以降、通知手段１０４は、表示装置４からその処理の状況の通知を求める要求（以下「通知要求」という）を記述したＨＴＴＰリクエストが送信されてきたときに、そのＨＴＴＰリクエストに対するＨＴＴＰレスポンスに状況情報を記述して送信することで、処理の状況を通知する。
【００４５】
表示装置４は、このＨＴＴＰリクエストによる通知要求を繰り返し行い（いわゆるポーリングを行い）、通知手段１０４は、ポーリングによる通知要求を受ける度にその応答で処理の状況を通知する。本実施形態では、表示装置４は、処理の結果が通知されるまでポーリングを行い、通知手段１０４は、処理の結果を通知するまで処理の状況を繰り返し通知する。
【００４６】
まとめると、通知手段１０４は、第１の通知方法を用いた場合には、処理を要求したＨＴＴＰリクエストに対するＨＴＴＰレスポンスにより、処理の結果を要求元の表示装置４に通知する。また、通知手段１０４は、第２の通知方法を用いた場合には、処理を要求したＨＴＴＰリクエストに対するＨＴＴＰレスポンスとは別の通信、すなわち、通知を要求するＨＴＴＰリクエストに対するＨＴＴＰレスポンスにより、処理の結果及びそれ以外の処理の状況を要求元の表示装置４に通知する。このように、通知手段１０４は、第１及び第２の通知方法を用いた場合には、表示装置４からの要求（処理要求または通知要求）があったときにその要求に対する応答で通知（いわゆるプル型の通知）を行う。
【００４７】
通知手段１０４は、第３及び第４の通知方法を用いた場合は、ＨＴＴＰレスポンスとは異なる規格の通信により処理の状況を通知する。具体的には、通知手段１０４は、ＷｅｂＳｏｃｋｅｔの規格に基づく通信により処理の状況を通知する。第３及び第４の通知方法は、仲介手段１０１が、例えば表示装置４が上述した操作画像要求データを送信してきたときなどに、ＴＣＰのハンドシェイク手続きを行って自装置（情報処理装置１０）とその表示装置４と接続させた状態で行われる。この状態で、通知手段１０４は、例えば処理手段１０３から状況情報が供給されると、ＷｅｂＳｏｃｋｅｔの規格に準拠するＸＭＬデータに状況情報を記述する。通知手段１０４は、このＸＭＬデータを、仲介手段１０１を介して表示装置４に送信することで、処理の状況を通知する。
【００４８】
通知手段１０４は、第３の通知方法では、表示装置４からＨＴＴＰリクエストによる処理要求があったときに、第２の通知方法のように、要求された処理の完了を待たずにまずは処理要求が受け付けられた旨をそのＨＴＴＰリクエストに対するＨＴＴＰレスポンスにより通知する。それ以降、通知手段１０４は、処理手段１０３から状況情報が供給されたときに、ＨＴＴＰリクエストによる通知要求を受け取っていなくても、供給された状況情報を記述したＸＭＬデータを表示装置４に送信して、処理の結果及びそれ以外の処理の状況を要求元の表示装置４に通知する。
【００４９】
つまり、通知手段１０４は、第３の通知方法を用いた場合には、処理を要求したＨＴＴＰリクエストに対するＨＴＴＰレスポンスとは別の通信（本実施形態ではＷｅｂＳｏｃｋｅｔの規格に準拠した通信）により、その処理の結果及びそれ以外の処理の状況を通知する。この通知は、処理を要求するＨＴＴＰリクエストに対するＨＴＴＰレスポンスとは別の通信により、処理の結果及びそれ以外の処理の状況を通知するという点で、第２の通知方法と共通している。なお、第２の通知方法における「別の通信」とは、処理を要求するＨＴＴＰリクエストとは別に表示装置４から送信されるＨＴＴＰリクエスト、すなわち上記の例であれば通知を要求するＨＴＴＰリクエスト、に対するＨＴＴＰレスポンスである。
【００５０】
通知手段１０４は、第４の通知方法では、表示装置４からのＨＴＴＰリクエストによる処理要求の有無に関係なく、処理手段１０３から状況情報を供給されたときに、供給された状況情報を記述したＸＭＬデータを表示装置４に送信して、その状況情報が表す状況を要求元の表示装置４に通知する。通知手段１０４は、第４の通知方法を用いた場合には、例えば「トナー切れ」や「用紙切れ」など、予め定められた状況を通知する。なお、通知手段１０４は、各表示装置４について個別に定められた処理の状況を通知してもよい。
【００５１】
このように、通知手段１０４は、第３及び第４の通知方法を用いた場合、表示装置４からのＨＴＴＰリクエストによる要求（処理要求及び通知要求）の有無に関係なく、能動的な通知（いわゆるプッシュ型の通知）を行う。
【００５２】
通知手段１０４は、第５の通知方法を用いた場合は、表示装置４と２度の通信を行うことで処理の状況を通知する。これらの通信を以下では「第１の通信」及び「第２の通信」という。まず、通知手段１０４は、処理手段１０３において通知の対象となる処理の状況が発生した場合に、表示装置４に対して自装置から発信する（つまりプッシュ型の）第１の通信を行う。この第１の通信は、処理の状況の通知のきっかけ（トリガともいう）とするために行われるものである。
【００５３】
通知手段１０４は、本実施形態では、処理手段１０３から状況情報が供給されると、ＷｅｂＳｏｃｋｅｔの規格に準拠するＸＭＬデータに、通知の対象となる処理の状況が発生した旨を記述して、仲介手段１０１を介して表示装置４に送信する。処理の状況が発生した旨は、文字列で表されていてもよいし、予め決められた記号などで表されていてもよい。この場合、通知手段１０４は、ＸＭＬデータの送信を第１の通信として行う。
【００５４】
なお、処理の状況が発生した旨のＸＭＬデータへの記述は必須ではない。例えば通知の対象となる処理の状況が発生したときに送信されるものとして決められたＸＭＬデータが送信されてもよい。また、ＦＴＰ（File Transfer Protocol）やＦＴＰＳ（File Transfer Protocol over SSL/TLS）などの通信手順を用いて予め決められたデータが送信されてもよい。要するに、通知の対象となる処理の状況が発生したことを表示装置４または表示装置４を利用するユーザに伝えられるものであれば、どういった第１の通信が行われてもよい。
【００５５】
表示装置４は、第１の通信により送信されてきたＸＭＬデータを受信すると、本実施形態では、後述するように、その状況の通知を要求する旨を記述したＨＴＴＰリクエストを送信することで、上述した通知要求を行う。通知手段１０４は、このＨＴＴＰリクエストが仲介手段１０１を介して供給されると、処理手段１０３から供給された状況情報をＸＭＬデータに記述し、このＨＴＴＰリクエストに対するＨＴＴＰレスポンスとして表示装置４に送信する。通知手段１０４は、このＨＴＴＰレスポンスの送信を上述した第２の通信として行う。このように、通知手段１０４は、第１の通信を行った表示装置４からのＨＴＴＰリクエストに対するＨＴＴＰレスポンスを送信する第２の通信により、発生した処理の状況を通知する。
【００５６】
通知手段１０４は、以上のとおり、通知の対象となる処理の状況が発生したことを第１の通信により伝え、その処理の状況そのものを第２の通信により通知する。この通知を以下では「第１の通知」という。通知手段１０４は、第５の通知方法を用いる場合、この第１の通知の他に、第２の通知も行う。通知手段１０４は、第２の通知においては、通知の対象となる処理の状況が発生した場合に、第１の通信を行わず且つ自装置から発信する（つまりプッシュ型の）第３の通信により処理の状況を表示装置４に通知する。
【００５７】
通知手段１０４は、第２の通知においては、上述した第３及び第４の通知方法のように、処理手段１０３から状況情報が供給されると、ＷｅｂＳｏｃｋｅｔの規格に準拠するＸＭＬデータに状況情報を記述し、仲介手段１０１を介して表示装置４に送信することで、処理の状況を通知する。このように、ＷｅｂＳｏｃｋｅｔの規格を用いることで、表示装置４からのＨＴＴＰリクエストによるプル型の通信を行わなくとも、プッシュ型の第３の通信により通知が行われる。通知手段１０４は、発生した処理の状況のそれぞれについて、上記第１の通知及び第２の通知のいずれかを行う。
【００５８】
本実施形態では、通知手段１０４は、発生した状況の種類に応じて、第１の通知及び第２の通知のいずれを行うかを決定する。例えば、処理手段１０３が、コピー処理を実行する場合に、原稿を読み取ると、読み取った原稿のサムネイル画像を含む状況情報を通知手段１０４に供給し、媒体にコピー（読み取った原稿の画像）を出力すると、コピーが完了した枚数を状況情報として通知手段１０４に供給する。この場合、通知手段１０４は、原稿のサムネイル画像については第１の通知を行い、媒体の枚数については第２の通知を行う。
【００５９】
［１−３−５］操作手段
ユーザ装置２０の操作手段２００及び操作装置３０の操作手段３００（これらを区別しない場合は「操作手段４００」という）は、情報処理装置１０を操作するための手段である。操作手段４００は、例えば表示装置４がブラウザのプログラムを実行することで実現される。操作手段２００は、表示手段２０１と、要求手段２０２とを有し、操作手段３００は、表示手段３０１と、要求手段３０２とを有する。それぞれユーザ装置２０及び操作装置３０を区別しない場合には、「表示手段４０１」及び「要求手段４０２」という。
【００６０】
［１−３−５−１］表示手段
表示手段４０１（ユーザ装置２０の表示手段２０１及び操作装置３０の表示手段３０１）は、情報処理装置１０から送信されてきた情報や画像を表示する手段である。表示手段４０１は、例えば、情報処理装置１０の通知手段１０４から送信されてきたＸＭＬデータに記述された状況情報（処理の結果やそれ以外の処理の状況などを表す情報）を表示する。表示手段４０１は、例えば前述した図７に示す状況情報Ｃ１やＣ２を表示する。また、状況情報の他の例について図８及び図９を参照して説明する。
【００６１】
図８は、表示された状況情報の例を示す図である。この例では、トナーがなくなったという状況を表す状況情報が表示されている。具体的には、「トナーが切れました。交換してください。」という文字列を含む状況情報Ｃ３が表示されている。
【００６２】
図９は、表示された状況情報の別の例を示す図である。この例では、複数の画像を記憶したＳＤメモリーカード等の記憶媒体が図４に示す情報処理装置１０の接続部１７に接続されたときに、その記憶媒体に記憶された画像のサムネイル画像の一覧を表示する処理の状況及び結果が表示されている。図９（ａ）では、「画像一覧を表示しています。」という文字列と、読み込みが済んだ画像から生成したサムネイル画像（この例では１０個のサムネイル画像）とを含む状況情報Ｃ４が示されている。図９（ｂ）では、「画像一覧を表示しました。」という文字列と、記憶媒体から読み出した全画像から生成したサムネイル画像の一覧とを含む状況情報Ｃ５が示されている。
【００６３】
また、表示手段４０１は、例えば情報処理装置１０のＵＲＬ（Uniform Resource Locator）にアクセスする操作をユーザが行うことで、前述した操作画像要求データを情報処理装置１０に送信し、その応答で情報処理装置１０の提供手段１０２から送信されてきた操作画像データが示す操作画像を表示する。具体的には、表示手段４０１は、操作画像データが示すＨＴＴＰレスポンスに記述された操作画像の配置や大きさなどのパラメータに基づいて、操作画像を表示する。こうして表示された操作画像が例えば図６に示す操作画像群Ａ１である。
【００６４】
操作画像群Ａ１には、コピーを開始させるという要求に対応した操作画像Ａ１１と、コピーする画像の倍率、コピーした画像を形成する用紙及びコピーした画像のカラーモードというパラメータをそれぞれ選択させるための操作画像グループＡ１２、Ａ１３及びＡ１４とが含まれている。操作画像グループＡ１２には、コピーの倍率を１％単位で大きくするという要求に対応した操作画像Ａ１５と、コピーの倍率を１％単位で小さくするという要求に対応した操作画像Ａ１６とが含まれている。なお、操作画像群Ａ１には、「画質調整」や「読取方法」、「出力形式」、「ジョブ編集」などのタグを選択することで表示される操作画像も含まれるものとする。
【００６５】
操作画像グループＡ１２、Ａ１３及びＡ１４は、コピー機能を利用するときに処理手段１０３に伝達しなければならないパラメータを選択するための操作画像である。操作画像Ａ１１は、自画像が操作されたときに選択されているパラメータを用いて処理を実行するように要求するための操作画像である。つまり、操作画像Ａ１１は、要求の内容を定める（つまり決定する）ための操作画像である。表示手段４０１は、これらの操作画像を前述した操作画像データに基づいて表示する。
【００６６】
また、表示手段４０１は、現在選択されているパラメータの内容をユーザに伝達するための画像（以下「パラメータ伝達画像」という）を表示する。表示手段４０１は、例えば、表示領域Ｂ１１に、現在選択されているコピーの倍率（この例では「１１０％」）の文字列をパラメータ伝達画像として表示し、現在選択されている用紙及びカラーモードを表す操作画像（この例では「他の倍率」、「Ａ４普通紙」、「白黒」という文字列が描かれたもの）を、選択されていない選択画像とは異なる態様（この例では線を太くする態様。ハイライトなどの態様でもよい。）で表した画像をパラメータ伝達画像として表示している。表示手段４０１は、パラメータを選択するための操作画像（例えば操作画像Ａ１５やＡ１６など）に対して行われた操作に基づいてこれらのパラメータ伝達画像を表示する。
【００６７】
また、表示手段４０１は、表示した操作画像に関するデータを要求手段に供給する。操作画像に関するデータとは、操作画像が操作されたか否かを判断するために用いられるデータであり、例えば操作画像が表示されている領域（以下「操作画像領域」という）を示すデータである。また、表示手段４０１は、表示したパラメータ伝達画像に関するデータを要求手段に供給する。パラメータ伝達画像に関するデータとは、パラメータ伝達画像により伝達されるパラメータの内容を示すデータである。
【００６８】
［１−３−５−２］要求手段
要求手段４０２（ユーザ装置２０の要求手段２０２及び操作装置３０の要求手段３０２）は、操作画像に対する操作がユーザにより行われると、そのユーザの操作に応じた要求を、ＨＴＴＰリクエストにより情報処理装置１０に対して行う手段である。要求手段４０２は、処理手段１０３が実行する処理の要求（上述した処理要求）やその処理の状況及び結果の通知の要求（上述した通知要求）などをユーザの操作に応じて行う。
【００６９】
要求手段４０２は、例えばユーザが操作部のタッチセンサをタップした場合に、表示手段４０１から供給されたデータに基づき、タップされた位置が操作画像領域に含まれているか否かを判断する。要求手段４０２は、操作画像領域に含まれていると判断した場合に、その操作画像領域に表示されている操作画像への操作を受け付ける。要求手段４０２は、上述した要求内容決定画像（図６の例であれば操作画像Ａ１１）への操作を受け付けた場合に、表示手段４０１から供給されたパラメータ伝達画像に関するデータが示すパラメータを用いて、その要求内容決定画像が示す処理を情報処理装置１０に対して要求する。図６に示す状態で操作画像Ａ１１に対する操作が行われた場合であれば、要求手段４０２は、１１０％の倍率でＡ４普通紙に白黒でコピーするための処理を情報処理装置１０に要求する。
【００７０】
具体的には、要求手段４０２は、操作された要求内容決定画像に対応する処理（この例ではコピー処理）を、パラメータ伝達画像により伝達されるパラメータを用いて行うという指示を記述した（この指示の記述を「指示書」という）ＨＴＴＰリクエストを示すＸＭＬデータを生成する。要求手段４０２は、生成したＸＭＬデータを情報処理装置１０に送信することで、情報処理装置１０に対してＨＴＴＰリクエストにより処理を要求する。このように要求手段４０２が処理を要求するために送信するＸＭＬデータのことを以下では「処理要求データ」という。なお、コピー処理が要求される場合には、指示書を含む処理要求データが生成されるが、要求される処理によっては、処理要求データに指示書が含まれない場合もある。例えば情報処理装置１０の電源を落とす処理が要求される場合には処理要求データに指示書が含まれない。
【００７１】
要求手段４０２がＨＴＴＰリクエストを送信すると、その応答でＨＴＴＰレスポンスが送信されてくる。要求手段４０２は、これらＨＴＴＰリクエストの送信とＨＴＴＰレスポンスの受信とを含む一連の処理を実行し、それらの処理の実行中はユーザの操作を受け付けない。例えば図６に示す操作画像群Ａ１が表示されている場合であれば、それらの操作画像をユーザがタップしても、上述したタップした位置などの判断が行われない。つまり、要求手段４０２は、自手段が送信したＨＴＴＰリクエストに対するＨＴＴＰレスポンスを受け取るまでは、ユーザによる操作を受け付けない状態（いわゆる固まった状態）となる。要求手段４０２は、ＨＴＴＰレスポンスを受け取ったあとは、再びユーザの操作を受け付ける状態になる。
【００７２】
要求手段４０２は、処理要求を行う場合に、その処理の状況を通知する方法を指定し、指定した方法で通知することを要求する。具体的には、要求手段４０２は、上述した第１、第２、第３及び第５の通知方法のうちのいずれかを用いるように指定する。要求手段４０２は、例えば、指定する通知方法を処理要求データに記述して送信する。この場合、情報処理装置１０の通知手段１０４が、処理要求データに記述された通知方法を用いて処理の状況を通知する。なお、要求手段４０２は、処理要求データとは別のＸＭＬデータに指定する通知方法を記述してＨＴＴＰリクエストとして表示装置４に送信してもよい。この場合、通知手段１０４は、例えば、このＨＴＴＰリクエストに対するＨＴＴＰレスポンスで、通知方法の指定を受け付けた旨を通知し、それ以降の通知を指定された通知方法で行う。
【００７３】
上述した第５の通知方法が用いられた場合、要求手段４０２は、上述した第１の通信、すなわち、処理の状況が発生したことを通知する通信を情報処理装置１０と行うと、その状況の通知を情報処理装置１０に要求する。具体的には、表示装置４には、情報処理装置１０の通知手段１０４から処理の状況が発生した旨を記述したＸＭＬデータ（ＷｅｂＳｏｃｋｅｔの規格に準拠している）が送信されてくる。要求手段４０２は、受信したＸＭＬデータに基づき、その状況の通知を要求する旨を記述したＨＴＴＰリクエストを生成して情報処理装置１０に送信する。これにより、要求手段４０２は第１の通信で通知された処理の状況を要求する。
【００７４】
要求手段４０２は、第１の通信を行った場合に、ＨＴＴＰリクエストを送信するときと送信しないときとがある。要求手段４０２は、本実施形態では、第１の通信を行ったあと、予め定められた操作が行われた場合にはＨＴＴＰリクエストを送信し、その操作が行われなかった場合にはＨＴＴＰリクエストを送信しない。予め定められた操作の詳細についてはのちほど説明する。
【００７５】
［１−３−６］制御手段
情報処理装置１０の制御手段１０５は、表示装置４が上述した操作画像（例えば図６に示す操作画像Ａ１１など）に対する操作に基づき処理を要求してきた場合に、要求された処理を行うように処理手段１０３を制御する。具体的には、制御手段１０５は、表示装置４からの処理要求データが仲介手段１０１を介して送信されてきた場合に、処理手段１０３を制御して、その処理要求データにより要求された処理を実行させる。つまり、制御手段１０５は、表示装置４からＨＴＴＰリクエストにより処理が要求されると、処理手段１０３を制御して要求された処理を実行させる。表示装置４からＨＴＴＰリクエストとして送信されてきたでＸＭＬデータある処理要求データは、仲介手段１０１によって仲介されて制御手段１０５に供給される。
【００７６】
制御手段１０５は、例えば、処理要求データに含まれている指示書を解析し、解析した指示の内容のとおりに処理が実行されるように、処理手段１０３を制御する。具体的には、制御手段１０５は、指示された処理（例えばコピー処理）を指示されたパラメータで実行させる。これにより、処理手段１０３は、例えばユーザの操作によって定められた画質及び読取方法で媒体から画像を読み取り、読み取った画像を、ユーザの操作によって定められた出力形式、倍率、用紙及びカラーモードで形成する。
【００７７】
制御手段１０５は、処理を実行させる際に、実行させる処理を識別する情報として、トランザクションＩＤを発行する。制御手段１０５は、発行したトランザクションＩＤと、要求元の表示装置４の通信の宛先を互いに対応付けて記憶部１２に記憶させる。制御手段１０５は、処理を実行させる際に、発行したトランザクションＩＤを処理手段１０３に供給し、処理手段１０３は、通知手段１０４に対して、上述した状況情報とともにトランザクションＩＤを供給する。
【００７８】
また、制御手段１０５は、処理要求データに記述されている通知方法（第１から第３の通知方法のうちのいずれか）もトランザクションＩＤに対応付けて記憶させる。通知手段１０４は、処理手段１０３から供給されたトランザクションＩＤに対応付けられた通信の宛先に対して、ともに供給された状況情報を記述したＸＭＬデータを送信する。このとき、通知手段１０４が、そのトランザクションＩＤに対応付けられた通知方法でＸＭＬデータを送信することで、指定された通知方法での通知が行われる。
【００７９】
［１−４］階層構造
情報処理システム１の構成について、その構成を階層構造で表した図１０及び図１１を参照して説明する。
図１０は、情報処理システム１の構成を表す階層構造の一例を示す図である。情報処理システム１は、プレゼンテーション層４０と、インターフェース５０と、ファンクション層６０と、ミドルウェア層７０と、ハードウェア層８０とを備える。プレゼンテーション層４０は、ユーザによる操作を受け付ける機能（いわゆるユーザインターフェース）を実現する層であり、図５に示す操作手段４００として機能する。
【００８０】
プレゼンテーション層４０は、ＵＩ制御部４１と、デバイス制御部４２と、通信部４３とを備える。ＵＩ制御部４１は、ユーザインターフェースを制御する部分であり、上述した操作画像や状況情報を表示したり、ユーザの操作を受け付けたりする。ＵＩ制御部４１は図５に示す表示手段４０１によって実現される。デバイス制御部４２は、ユーザの操作に基づいて情報処理装置１０に対して上記のとおり処理を要求し、後述するファンクション層６０を制御する。デバイス制御部４２は、要求手段４０２によって実現される。通信部４３は、ＵＩ制御部４１及びデバイス制御部４２が情報処理装置１０と行う通信を制御する。
【００８１】
インターフェース５０は、プレゼンテーション層４０とファンクション層６０との接続を仲介する機能を実現する層である。プレゼンテーション層４０とインターフェース５０との接続は、図１に示す通信機器３等の通信機能を有する外部装置を介する場合（ユーザ装置２０との接続）と、そういった外部装置を介さない場合（操作装置３０との接続）とがある。ファンクション層６０は、コピー機能やスキャン機能など、目的とする用途に沿ってデータを加工する機能を実現する層である。ミドルウェア層７０は、ファンクション層６０とハードウェア層８０との中間で汎用的な処理を実行する層である。ハードウェア層８０は、画像読み取りや画像形成などの処理を物理的に実現する層である。
【００８２】
ファンクション層６０は、受付・応答部６１と、イベント通知部６２と、操作画像管理部６３と、操作画像ＤＢ（Data Base：データベース）６４と、コピー機能やスキャン機能などを提供する機能部６５とを備える。受付・応答部６１は、プレゼンテーション層４０からインターフェース５０を介して送信されてくる処理要求データが示す処理の要求を受け付け、機能部６５に処理を依頼する。このとき、受付・応答部６１は、上述したトランザクションＩＤの発行も行う。また、受付・応答部６１は、受け付けた要求に対する応答を示す応答データを、インターフェース５０を介してプレゼンテーション層４０に送信する。応答データは、要求を受け付けた旨を示すだけの場合もあれば、状況情報を示す場合もある。つまり、受付・応答部６１は、処理の状況の通知を行うこともあり、その通知は、上述した第１及び第２の通知方法によるプル型の通知となる。
【００８３】
イベント通知部６２には、機能部６５を介して状況情報が供給される。イベント通知部６２は、供給された状況情報を、ＷｅｂＳｏｃｋｅｔに準拠したＸＭＬデータに記述し、そのＸＭＬデータを、インターフェース５０を介してプレゼンテーション層４０に送信する。つまり、イベント通知部６２が行う通知は、上述した第３及び第４の通知方法によるプッシュ型の通知である。操作画像管理部６３は、プレゼンテーション層４０に送信する操作画像の管理を行う。操作画像ＤＢ６４は、操作画像を格納するデータベースである。機能部６５は、情報処理装置１０がユーザに提供する機能を実現するためのモジュール群である。
【００８４】
図１１は、機能部６５に含まれるモジュール群の一例を示す図である。機能部６５には、コピー機能、スキャン機能、ＦＡＸ機能、プリント機能、宛先表管理機能（宛先情報を管理する機能）、デバイス管理機能（画像読取部１３の原稿セット状態や画像形成部１４の媒体、消耗品の状態などを管理する機能）、認証機能、親展ボックス機能（情報処理装置１０に記憶されている電子文書を管理する機能）、プレビュー機能、ダウンロード機能（プログラムの更新を制御する機能）、保守機能（リモートからの要求に従いハードウェアをメンテナンスする機能）、診断機能（ハードウェアを診断する機能）をそれぞれ実現するためのモジュールが含まれている。
【００８５】
図１０に示すインターフェース５０は、図５に示す仲介手段１０１として機能する。操作画像管理部６３及び操作画像ＤＢ６４が協働することで提供手段１０２として機能し、ミドルウェア層７０及びハードウェア層８０が協働することで処理手段１０３として機能する。また、受付・応答部６１及びイベント通知部６２が協働することで通知手段１０４として機能し、受付・応答部６１及び機能部６５が協働することで制御手段１０５として機能する。
【００８６】
図１２は、情報処理システム１の構成を表す階層構造の一例を示す図である。図１１に示したモジュール群は、それぞれ、要求部６５１及び管理部６５２と、画像形成制御部６５３、画像読取制御部６５４及び通信制御部６５５のうち各モジュールにおいて利用される制御部（以下「利用制御部」という）とを有する。例えば、コピー機能を実現する場合には、画像形成制御部６５３及び画像読取制御部６５４が利用制御部となり、プリント機能を実現する場合には、画像形成制御部６５３が利用制御部となる。以下では、プリント機能を実現するモジュールが実行される場合を例に挙げて、各モジュールの役割について説明する。
【００８７】
画像のプリントを要求する操作がユーザによって行われると、プレゼンテーション層４０からジョブの起動を要求する要求データがインターフェース５０を介してファンクション層６０に送信される。受付・応答部６１はこの要求データを受信して、受信した要求データを解析し、要求の内容に応じたモジュールの要求部６５１（この例ではプリント機能の要求部６５１）に要求データを供給する。要求部６５１は、供給された要求データを解析し、ミドルウェア層７０に対してジョブの生成を要求する。ミドルウェア層７０は、要求されたジョブを生成する処理を行い、その処理結果を要求部６５１に通知する。要求部６５１は、通知された処理結果を受付・応答部６１及びインターフェース５０を介してプレゼンテーション層４０に通知する。
【００８８】
プレゼンテーション層４０は、通知された処理結果を表示する。また、ミドルウェア層７０は、生成したジョブを前述した利用制御部（プリント機能の場合は画像形成制御部６５３）に供給する。利用制御部は、供給されたジョブをユーザに提示する形式で表したユーザジョブを生成し、ユーザジョブの内容を示すデータを、ミドルウェア層７０を介して管理部６５２に供給する。管理部６５２は、供給されたデータが示すユーザジョブの内容を示すＸＭＬデータを生成する。このユーザジョブの内容は、上述した状況情報にあたるものであり、管理部６５２が生成するＸＭＬデータは、上述した状況情報データである。管理部６５２は、生成した状況情報データを、イベント通知部６２及びインターフェース５０を介してプレゼンテーション層４０に送信する。こうしてジョブに関するプッシュ型の通知が行われる。
【００８９】
ジョブの一時停止、中止、継続及び優先順位変更等の処理を要求する操作がユーザによって行われると、プレゼンテーション層４０からそれらの処理を要求する要求データがインターフェース５０を介してファンクション層６０に送信される。受付・応答部６１はこの要求データを受信して、受信した要求データを解析し、要求の内容に応じたモジュールの管理部６５２（この例ではプリント機能の管理部６５２）に要求データを供給する。管理部６５２は、供給された要求データを解析し、要求された処理を行うようにミドルウェア層７０に要求する。ミドルウェア層７０は、要求された処理を行い、その処理結果を管理部６５２に通知する。管理部６５２は、通知された処理結果を受付・応答部６１及びインターフェース５０を介してプレゼンテーション層４０に通知する。プレゼンテーション層４０は、通知された処理結果を表示する。
【００９０】
［１−５］動作
［１−５−１］ユーザの操作に基づく動作
情報処理システム１は、以上の構成に基づき、ユーザの操作に応じて画像形成等の処理を実行するための実行処理を行う。実行処理において情報処理システム１が備える各装置が行う動作について、図１３及び図１４を参照して説明する。
図１３は、実行処理における各装置の動作の一例を示すシーケンス図である。図１３の例では、ユーザがユーザ装置２０を操作する場合について説明する。実行処理は、例えば、ユーザがユーザ装置２０に対して、ブラウザを起動して情報処理装置１０のＵＲＬにアクセスする操作を行うことを契機に開始される。
【００９１】
まず、ユーザ装置２０が、操作画像を要求する要求データを通信機器３を介して情報処理装置１０に送信する（ステップＳ１１）。情報処理装置１０は、要求データを受信すると、その要求データが要求する操作画像を含む操作画像データを生成して（ステップＳ１２）、ユーザ装置２０に通信機器３を介して送信する（ステップＳ１３）。ユーザ装置２０は、受信した操作画像データに含まれる操作画像を表示する（ステップＳ１４）。ステップＳ１１及びＳ１４は表示手段３０１が行う動作であり、ステップＳ１２及びＳ１３は提供手段１０２が行う動作である。
【００９２】
次に、表示された操作画像に対してユーザが操作を行うと、ユーザ装置２０は、そのユーザ操作を受け付ける（ステップＳ２１）。ステップＳ２１で指示内容決定画像（例えば図６に示す操作画像Ａ１１）へのユーザ操作を受け付けると、ユーザ装置２０は、操作画像への操作により定められた処理の要求を示す処理要求データを生成し（ステップＳ２２）、情報処理装置１０に通信機器３を介して送信する（ステップＳ２３）。情報処理装置１０は、処理要求データを受信すると、その処理要求データが示す要求に応じて処理を実行する（ステップＳ２４）。ステップＳ２１、ステップＳ２２及びＳ２３は要求手段３０２が行う動作である。ステップＳ２４は処理手段１０３及び制御手段１０５が協働して行う動作である。
【００９３】
情報処理装置１０は、例えば処理の状況が更新される度に、上述した状況情報データを生成して（ステップＳ３１）、ユーザ装置２０に通信機器３を介して送信する（ステップＳ３２）。ユーザ装置２０は、状況情報データが送信されてくると、その状況情報データが示す状況情報を表示する（ステップＳ３３）。ステップＳ３１及びＳ３２は通知手段１０４が行う動作であり、ステップＳ３３は表示手段３０１が行う動作である。また、ステップＳ１１、Ｓ１３、Ｓ２３及びＳ３２における通信は、いずれも仲介手段１０１及び通信機器３を介して行われる。
【００９４】
図１４は、実行処理における各装置の動作の別の一例を示すシーケンス図である。図１４では、ユーザが操作装置３０を操作する場合を示している。この場合も、図１３に示した各ステップの動作が行われ、ユーザ装置２０が行っていた動作は操作装置３０が行う。また、ステップＳ１１、Ｓ１３、Ｓ２３及びＳ３２における通信は、いずれも仲介手段１０１を介す一方、通信機器３を介さずに行われる。
［１−５−２］４つの通知方法での動作
以下、情報処理装置１０の通知手段１０４が上述した第１から第４までの４つの通知方法で状況を通知する際に各装置が行う動作について、図１５から図１８までを参照して説明する。図１５から図１７までにおいては、表示装置４のデバイス制御部４２と、情報処理装置１０の受付・応答部６１、イベント通知部６２、ミドルウェア層７０及びハードウェア層８０とが動作の主体としてそれぞれ示す。図１８においては、それらの動作の主体のうち、受付・応答部６１をインターフェース５０に代えて示す。
【００９５】
図１５は、第１の通知方法が用いられる場合の各装置の動作の一例を示すシーケンス図である。図１５に示す動作は、例えば、ユーザがコピーを行う前に、コピーのためのパラメータ（倍率や用紙のサイズ、カラーモードなど）を変更する操作を行うことを契機に開始される。まず、表示装置４のデバイス制御部４２が、パラメータを変更する操作を受け付けると（ステップＳ１１１）、パラメータの変更の要求を記述したＸＭＬデータ（この例における処理要求データ）を情報処理装置１０に対して送信する（ステップＳ１１２）。ステップＳ１１１は図１３及び図１４に示すステップＳ２１（ユーザ操作の受け付け）に対応し、ステップＳ１１２はステップＳ２２及びＳ２３（処理要求データの生成及び送信）に対応する。
【００９６】
情報処理装置１０の受付・応答部６１は、そのＸＭＬデータを受信すると、そこに記述された要求の内容を解釈し（ステップＳ１１３）、解釈した内容での処理の実行を情報処理装置１０のミドルウェア層７０に指示する（ステップＳ１１４）。ミドルウェア層７０は、ハードウェア層８０と協働して、指示された処理、すなわちパラメータの変更を実行する（ステップＳ１１５）。ステップＳ１１３からＳ１１５までは図１３及び図１４に示すステップＳ２４（処理の実行）に対応する。
【００９７】
ミドルウェア層７０及びハードウェア層８０は、処理の結果を表す情報を状況情報として受付・応答部６１に供給する（ステップＳ１１６）。受付・応答部６１は、供給された状況情報（この例ではパラメータの変更結果）を記述したＸＭＬデータ（この例における状況情報データ）を生成し（ステップＳ１１７）、処理の要求元である表示装置４に送信する（ステップＳ１１８）。表示装置４のデバイス制御部４２は、送信されてきたＸＭＬデータに記述された状況情報を自装置の表示部に表示させる（ステップＳ１１９）。ステップＳ１１６及びＳ１１７は図１３及び図１４に示すステップＳ３１（状況情報データの生成）に対応する。ステップＳ１１８はステップＳ３２（状況情報データの送信）に対応し、ステップＳ１１９はステップＳ３３（状況情報の表示）に対応する。
【００９８】
図１６は、第２の通知方法が用いられる場合の各装置の動作の一例を示すシーケンス図である。図１６に示す動作は、例えば、ユーザが情報処理装置１０の画像読取部１３に原稿をセットし、表示装置４に対してコピーを開始させる操作を行うことを契機に開始される。まず、表示装置４のデバイス制御部４２は、コピーを開始させる操作を受け付けると(ステップＳ１２１)、受け付けた操作に応じた指示書を作成する（ステップＳ１２２）。デバイス制御部４２は、作成した指示書を記述した処理要求データを、図１０に示す通信部４３を介して情報処理装置１０に送信する（ステップＳ１２３）。情報処理装置１０の受付・応答部６１は、図１０に示すインターフェース５０を介して処理要求データを受け取ると、記述された指示書に基づいて要求された処理の内容を解釈し（ステップＳ１２４）、その処理に対応するトランザクションＩＤを発行する（ステップＳ１２５）。
【００９９】
受付・応答部６１が、解釈した処理の内容に基づいて処理の指示を表す情報（この例ではコピージョブ。以下「指示情報」という）を生成してトランザクションＩＤとともにミドルウェア層７０に供給すると（ステップＳ１２６）、ミドルウェア層７０及びハードウェア層８０が協働して、供給された指示情報に基づく処理（コピー処理）を実行する（ステップＳ１２７）。受付・応答部６１は、指示情報を供給したあと、コピー処理の要求を受け付けたことを表す情報（例えば「コピーを受け付けました。」という文字列）と発行したトランザクションＩＤとを記述したＸＭＬデータをＨＴＴＰレスポンスとして表示装置４に送信する（ステップＳ１３１）。なお、ステップＳ１３１の動作は、ステップＳ１２６の動作と並行してまたはそれよりも前に行われてもよい。表示装置４のデバイス制御部４２は、ＨＴＴＰレスポンスを参照し、要求が受け付けられた旨を表す情報を自装置の表示部に表示させるとともに（ステップＳ１３２）、トランザクションＩＤを自装置の記憶部に記憶させる（ステップＳ１３３）。
【０１００】
表示装置４のデバイス制御部４２は、コピー処理の要求に対する応答を受け取ったあと、そのコピー処理の状況の通知を求める通知要求と、ステップＳ１３３において記憶させたトランザクションＩＤとを記述したＸＭＬデータをＨＴＴＰリクエストとして送信する（ステップＳ１４１）。情報処理装置１０の受付・応答部６１は、そのトランザクションＩＤに対応付けられたコピー処理の状況情報がまだ供給されていなければ、その旨を記述したＨＴＴＰレスポンスを表示装置４に送信する（ステップＳ１４２）。ステップＳ１４１及びＳ１４２の動作は繰り返し行われる。
【０１０１】
情報処理装置１０のミドルウェア層７０は、コピー（読み取った原稿を示す画像）を媒体に出力すると、それを検知して（ステップＳ１５１）、コピーが媒体に出力されたという状況を示す状況情報を、ステップＳ１２６に供給されたトランザクションＩＤに対応付けて受付・応答部６１に供給する（ステップＳ１５２）。受付・応答部６１は、供給された状況情報及びトランザクションＩＤを記憶部１２に記憶させておく（ステップＳ１５３）。受付・応答部６１は、ステップＳ１５３以降に通知要求及びトランザクションＩＤが記述されたＨＴＴＰリクエストを受信すると（ステップＳ１４１）、ＨＴＴＰリクエストに記述されたトランザクションＩＤに対応付けられた状況情報を記憶部１２から読み出し、その状況情報を記述したＨＴＴＰレスポンスを生成する（ステップＳ１５４）。
【０１０２】
受付・応答部６１が生成したＨＴＴＰレスポンスを表示装置４に送信すると（ステップＳ１５５）、表示装置４のデバイス制御部４２は、ステップＳ１３２のように、ＨＴＴＰレスポンスに記述された状況情報を自装置の表示部に表示させる（ステップＳ１５６）。以上のとおり表示装置４が要求した処理に関する情報がトランザクションＩＤによって対応付けられることで、処理の状況がその処理の要求元である表示装置４に対して通知される。以降、コピー処理が完了したときに処理の結果が通知されるまで、ステップＳ１５１からＳ１５６までの動作が繰り返し行われる。
【０１０３】
図１７は、第３の通知方法が用いられる場合の各装置の動作の一例を示すシーケンス図である。図１７に示す動作は、図１６のように、コピーを開始させる操作をユーザが行うことを契機に開始される。まず、表示装置４のデバイス制御部４２が、コピーを開始させる操作を受け付けると(ステップＳ１２１)、イベント通知部６２によるプッシュ型の通知、すなわち第３の通知方法を指定する旨を記述したＸＭＬデータを情報処理装置１０に送信する（ステップＳ１６１）。情報処理装置１０の受付・応答部６１は、そのＸＭＬデータを受信すると、そこに第３の通知方法を指定する旨が記述されていることをミドルウェア層７０に伝達する（ステップＳ１６２）。
【０１０４】
ミドルウェア層７０は、伝達された指定を受け付け、表示装置４に対して今後第３の通知方法での通知を行うための設定を行う（ステップＳ１６３）。ミドルウェア層７０は、例えば第３の通知方法を行うか否かを表すフラグをＯＮにする。このように、図１７の例では、処理要求データとは別のＸＭＬデータにより通知方法を指定している。なお、表示装置４のデバイス制御部４２は、指定する通知方法を処理要求データに記述してもよい。その場合、受付・応答部６１がステップＳ１２６において指示情報及びトランザクションＩＤをミドルウェア層７０に供給する際に第３の通知方法が指定された旨を伝達することで、第３の通知方法の設定が行われる。
【０１０５】
次に、図１６に示すステップＳ１２２からＳ１２７までの動作と、ステップＳ１３１からＳ１３３までの動作が行われる。続いて、情報処理装置１０のミドルウェア層７０及びハードウェア層８０は、ステップＳ１５１（コピー出力の検知）の動作を行うと、前述したフラグがＯＮになっているため、コピーが媒体に出力されたという状況を示す状況情報とトランザクションＩＤとを受付・応答部６１ではなく、イベント通知部６２に供給する（ステップＳ１７２）。イベント通知部６２は、供給された状況情報（コピー枚数等）とトランザクションＩＤとを記述したＸＭＬデータを生成して（ステップＳ１７３）、表示装置４に送信する（ステップＳ１７４）。表示装置４のデバイス制御部４２は、ＸＭＬデータに記述された内容（例えば図７（ａ）に示す状況情報Ｃ１）を自装置の表示部に表示させる（ステップＳ１７５）。以降、コピー処理が完了したときに処理の結果が通知されるまで、ステップＳ１５１及びステップＳ１７２からＳ１７５までの動作が繰り返し行われる。
【０１０６】
図１８は、第４の通知方法が用いられる場合の各装置の動作の一例を示すシーケンス図である。図１８に示す動作は、表示装置４においてブラウザが起動され、情報処理装置１０にアクセスする操作（ＵＲＬの入力やブックマークの選択など）が行われることを契機に開始される。まず、表示装置４のデバイス制御部４２が、そのアクセスのための操作を受け付けて（ステップＳ１９１）、通信部４３と協働して、情報処理装置１０のインターフェース５０とＷｅｂＳｏｃｋｅｔの規格に準拠した接続を行う（ステップＳ１９２）。
【０１０７】
それ以降に、情報処理装置１０において予め定められた状況（トナー切れや用紙切れなど）が発生すると、情報処理装置１０のミドルウェア層７０及びハードウェア層８０が協働して、その定められた状況を検知し（ステップＳ２０１）、検知した状況を表す状況情報をイベント通知部６２に供給する（ステップＳ２０２）。イベント通知部６２は、供給された状況情報を記述したＸＭＬデータを生成し（ステップＳ２０３）、そのＸＭＬデータを、ＷｅｂＳｏｃｋｅｔの接続をしている表示装置４にインターフェース５０を介して送信する（ステップＳ２０４）。表示装置４のデバイス制御部４２は、ステップＳ２０４で受信したＸＭＬデータに記述された状況情報を自装置の表示部に表示させる（ステップＳ２０５）。
【０１０８】
なお、上述したように、表示装置４毎に異なる状況が通知されてもよい。その場合には、ステップＳ１９２のあとに、デバイス制御部４２が、自装置に通知すべき状況を記述したＸＭＬデータを情報処理装置１０に通信部４３を介して送信する。インターフェース５０を介してそれを受け取ったイベント通知部６２は、その通知すべき状況を、表示装置４の宛先に対応付けて記憶しておく。イベント通知部６２は、ステップＳ２０２で供給された状況情報が、記憶しておいた通知すべき状況を表している場合に、その状況の通知を行う。
【０１０９】
図１９は、第５の通知が行われる場合の各装置の動作の一例を示すシーケンス図である。図１９の例では、図１７に示すステップＳ１２１（操作の受け付け）からＳ１２７（コピー処理の実行）までの動作が行われる。また、通知方法の指定に関するＳ１６１及びＳ１６２の動作が行われるが、図１７に示す例と異なり、第５の通知方法が指定される。その結果、情報処理装置１０のミドルウェア層７０が第５の通知方法での通知を行うための設定を行う（ステップＳ１６４）。なお、図１９では、ステップＳ１２６までとステップＳ１６２までとの図示を省いている。ステップＳ１２７及びＳ１６４の動作は処理手段１０３が行う。
【０１１０】
まず、情報処理装置１０のミドルウェア層７０及びハードウェア層８０は、原稿の読み取りを検知する（ステップＳ２２１）。上述したように、この場合は第１の通知を行うものと決められているので、ミドルウェア層７０及びハードウェア層８０は、読み取った原稿のサムネイル画像を含む状況情報をイベント通知部６２及び受付・応答部６１の両方にそれぞれ供給する（ステップＳ２２２及びＳ２２３）。ステップＳ２２１からＳ２２３までの動作も処理手段１０３が行う。
【０１１１】
イベント通知部６２は、イベント通知部６２は、処理の状況が発生した旨を記述したＸＭＬデータ（すなわち処理の状況の通知のトリガとなるＸＭＬデータ）を生成し（ステップＳ２２４）、表示装置４に送信する（ステップＳ２２５）。ステップＳ２２５におけるＸＭＬデータの送信は、上述した第１の通信である。ステップＳ２２４及びＳ２２５の動作は通知手段１０４が行う。表示装置４のデバイス制御部４２は、第１の通信を行うと、本実施形態では、第１の通信により通知された情報を表示する（ステップＳ２２６）。
【０１１２】
図２０は、第１の通信により通知された情報の一例を示す図である。図２０では、「原稿の読み取りが完了しました」という文字列を含む画像Ｃ１３が表示されている。図１９の例では、ステップＳ２２５の第１の通信により、原稿の読み取りが完了したという状況が発生した旨が通知されており、画像Ｃ１３は、この通知された内容を表している。図１９に示すステップＳ２２６のあと、デバイス制御部４２は、処理の状況を通知させる要求（すなわち通知要求）を行うか否かを判断する（ステップＳ２３１）。
【０１１３】
デバイス制御部４２は、本実施形態では、上述したように、予め定められた操作が行われた場合に通知要求を行う。具体的には、デバイス制御部４２は、図２０に示す画像Ｃ１３を選択する（タップする）操作をユーザが行った場合に、通知要求を行う（ＹＥＳ）と判断する。デバイス制御部４２は、通知要求を行うと判断すると、通知要求を記述したＨＴＴＰリクエストを情報処理装置１０に送信する（ステップＳ２３２）。ステップＳ２３１及びＳ２３２の動作は要求手段４０２が行う。
【０１１４】
このあとは、図１６に示すステップＳ１５４、Ｓ１５５及びＳ１５６までと共通するステップＳ２３３（ＨＴＴＰレスポンスの生成）、Ｓ２３４（ＨＴＴＰレスポンスの送信）及びＳ２３５（状況情報の表示）までの動作が行われ、処理の状況が通知される。ステップＳ２３３では、受付・応答部６１が、ステップＳ２３３で供給されたサムネイル画像を含む状況情報を記述したＨＴＴＰレスポンスを生成する。ステップＳ２３４におけるＨＴＴＰレスポンスの送信は、上述した第２の通信である。ステップＳ２３３及びＳ２３４の動作は通知手段１０４が行い、ステップＳ２３５の動作は表示手段４０１が行う。こうして通知された状況の一例を図２１に示す。
【０１１５】
図２１は、第２の通信により通知された状況の一例を示す図である。図２１では、「原稿のサムネイル画像を表示しています。」という文字列と、サムネイル画像の一覧Ｃ１４とが表示されている。デバイス制御部４２は、ステップＳ２３１において状況の通知を要求しない（ＮＯ）と判断した場合には、第１の通信に応答する動作を終了する。デバイス制御部４２は、例えば、コピー処理が終了するまで図２０に示す画像Ｃ１３を選択する操作が行われなかった場合に、状況の通知を要求しないと判断する。
【０１１６】
続いて、ミドルウェア層７０及びハードウェア層８０は、読み取った原稿の画像、すなわちコピーを媒体に出力したことを検知する（ステップＳ２４１）。上述したように、この場合は第２の通知を行うものと決められているので、ミドルウェア層７０及びハードウェア層８０は、コピー枚数を含む状況情報を受付・応答部６１には供給せず、イベント通知部６２にのみ供給する（ステップＳ２４２）。ステップＳ２４１及びＳ２４２の動作は処理手段１０３が行う。イベント通知部６２は、処理の状況を記述したＸＭＬデータ（すなわち上述した状況情報データ）を生成し（ステップＳ２４３）、表示装置４に送信する（ステップＳ２４４）。ステップＳ２４４におけるＸＭＬデータの送信は、上述した第３の通信である。表示装置４のデバイス制御部４２は、受信したＸＭＬデータに記述された状況情報を自装置の表示部に表示させる（ステップＳ２４５）。ステップＳ２４３及びＳ２４４の動作は通知手段１０４が行い、ステップＳ２４５の動作は表示手段４０１が行う。
【０１１７】
例えば第２の通知方法のように、ポーリングに対する応答で通知を行う場合、処理の状況が発生したときにポーリングがされるとは限らないため、状況の発生から通知までに時間を要することになる。これに対し、第５の通知方法における第１の通知が行われると、処理の状況が発生したときに第１の通信及び第２の通信が行われて通知がされるので、表示装置４からの要求に対する応答で通知を行う場合に比べて、状況の発生から通知までに要する時間が短くなる。言い換えると、発生した状況が早く通知されることになる。
【０１１８】
また、第３の通知方法のように、発生した処理の状況をプッシュ型で通知する場合、通知の対象となる状況を情報処理装置１０が選択することになる。これに対し、第５の通知方法における第１の通知が行われると、第１の通信が行われても、通知先である表示装置４からＨＴＴＰリクエストが送信されなければ、処理の状況が通知されない。このように、本実施形態においては、通知の対象となる状況が発生した場合に、その状況を通知させるか否かを通知先で選べるようになっている。
【０１１９】
［２］変形例
上述した実施形態は、本発明の実施の一例に過ぎず、以下のように変形させてもよい。また、上述した実施形態及び以下に示す各変形例は、必要に応じて組み合わせて実施してもよい。
【０１２０】
［２−１］通信の規格
実施形態では、ユーザ装置２０は、無線ＬＡＮの規格に準拠する無線通信を行う通信部を備えていたが、これに限らず、例えば操作装置３０の通信部３３のように有線ＬＡＮの規格に準拠する通信を行う通信部を備えていてもよい。この場合、ユーザ装置２０は、有線ＬＡＮのルータやハブなどに通信用のケーブルを介して接続される。この場合のユーザ装置２０の通信部も、上述した他の通信装置（情報処理装置１０とは異なる通信装置。例えばルータやハブなど）と通信する通信手段として機能する。
【０１２１】
また、実施形態では、情報処理装置１０の第１通信部１５と操作装置３０の通信部３３が有線ＬＡＮの規格に準拠して通信を行ったが、これに限らず、例えば、ＵＳＢ（Universal Serial Bus）やＨＤＭＩ（登録商標）（High-Definition Multimedia Interface）などの規格に準拠する通信を行ってもよいし、他にも、無線ＬＡＮやＢｌｕｅｔｏｏｔｈ（登録商標）、ＮＦＣ（Near field communication）などの規格に準拠する無線通信を行ってもよい。いずれの場合も、操作装置３０の通信部３３は、ルータやハブなどの他の通信装置を介さずに情報処理装置１０の第１通信部１５と通信する。
【０１２２】
［２−２］操作装置の構成
操作装置３０は、実施形態では図２に示すように制御部３１及び記憶部３２を備えていたが、これらを備えていなくてもよい。
図２２は、本変形例の情報処理装置のハードウェア構成の一例を示す図である。図２２の例では、図４に示す各部のうち、表示部以外の各部を備える情報処理装置１０ａと、操作装置３０ａとが示されている。本変形例でも、操作装置３０ａは情報処理装置１０ａの筐体に固定されている。操作装置３０ａは、図３に示す通信部３３と、ＵＩ部３６とを備える。
【０１２３】
通信部３３及びＵＩ部３６は、情報処理装置１０ａ内のバスに接続され、制御部１１によって制御されるようになっている。また、通信部３３は、第１通信部１５とも接続されている。ＵＩ部３６は、表示面と表示面に重ねられたタッチセンサとを備え、ユーザからの操作を受け付けるとともに画像を表示する。ＵＩ部３６は、受け付けたユーザの操作に応じた操作データを制御部１１に供給し、制御部１１は、この操作データに応じた処理を行う。
【０１２４】
本変形例では、制御部１１がブラウザのプログラムを実行することで図５に示す操作手段３００の機能を実現する。例えば表示手段３０１は、第１通信部１５を介して送信されてきた操作画像データを通信部３３を介して受信し、ＵＩ部３６に表示する。また、要求手段３０２は、ＵＩ部３６がタップされることで操作画像への操作を受け付ける。また、要求手段３０２は、そうして受け付けた操作により定められた指示を示す指示データを、通信部３３及び第１通信部１５を介して送信する。このように、本変形例においても、情報処理装置と表示装置４との通信が、他の通信装置を介す場合も介さない場合も共通の仲介手段を介して行われることになる。
【０１２５】
［２−３］操作装置の設置
操作装置３０は、実施形態や上記変形例では情報処理装置の筐体に固定されていたが、固定されていなくてもよい。
図２３は、本変形例の情報処理装置のハードウェア構成の一例を示す図である。図２３の例では、図４に示す各部のうち、表示部以外の各部を備える情報処理装置１０ｂと、操作装置３０ｂとが示されている。操作装置３０ｂは、図３に示す各部を備え、図５に示す操作手段２００として機能する装置である。
【０１２６】
操作装置３０ｂは、通信用のケーブルを介して第１通信部１５に接続されており、情報処理装置１０ｂの筐体上またはその周囲の机等に設置された状態でユーザにより使用される。この操作装置３０ｂは、実施形態の操作装置３０のように、他の通信装置（例えば図１に示す通信機器３）を介さずに情報処理装置１０と通信を行う。なお、操作装置３０ｂは、通信用のケーブルを取り外して、別の場所に持って行き別の用途に用いてもよい。なお、図２３の例では、操作装置３０ｂに代えて、操作手段として機能する他の装置（例えば図１等に示したユーザ装置２０）が接続されてもよい。また、操作装置３０ｂを、通信機器３に接続させて、通信機器３及び通信回線２を介して情報処理装置１０ｂと通信させてもよい。
【０１２７】
［２−４］処理手段
処理手段１０３が行う処理は、実施形態で述べたものに限らず、どういった処理であってもよい。例えば、処理手段１０３は、情報処理装置が工場の機械とそれを制御する装置とを有するものである場合に、その機械で材料を搬送したり加工したりする処理を行う。この場合も、ユーザ装置２０及び操作装置３０のどちらからでも共通の仲介手段を介した通信が行われることによって情報処理装置が操作されるようになる。
【０１２８】
［２−５］要求手段
要求手段４０２は、実施形態では、タッチセンサで操作を受け付けたが、これに限らず、自装置がタブレット端末であれば筐体に設けられたボタンで操作を受け付けてもよいし、自装置がパーソナルコンピュータであればキーボードやマウスなどで操作を受け付けてもよい。
【０１２９】
［２−６］仲介手段
仲介手段１０１は、実施形態では、ＳＯＡＰの規格に準拠していたが、これに限らず、例えばＲＥＳＴ（Representational State Transfer）やＳＧＭＬ（Standard Generalized Markup Language）などの規格に準拠して通信を仲介してもよい。要するに、仲介手段１０１は、ウェブで用いられる規格に準拠して通信を仲介するものであればよい。これにより、ブラウザを実行可能な大半の装置が操作用装置として利用可能となる。
【０１３０】
［２−７］第１及び第２の通知の決定
通知手段１０４は、実施形態では、発生した状況の種類に応じて第１及び第２の通知のいずれを行うかを決定したが、これに限らない。通知手段１０４は、通知の対象となる処理の状況を表す情報（すなわち状況情報）のサイズに応じてこれを決定してもよい。情報のサイズとは、コンピュータが扱う情報の大きさのことであり、ビット、バイト、ワード及びオクテット等の単位で表される。通知手段１０４は、例えば、処理手段１０３から供給された状況情報のサイズが閾値以上であれば第１の通知を行うと決定し、閾値未満であれば第２の通知を行うと決定する。
【０１３１】
情報処理システム１では、上述したように、通知の対象となる状況が発生した場合に、その状況を通知させるか否かを通知先で選べるようになっているため、状況によっては通知をさせないようにすることで、通信の負荷や表示装置４の処理の負荷が小さくなる。そうした通知の有無を選ぶ状況を表す状況情報のサイズが大きいほど、これらの負荷を小さくする効果が大きくなる。本変形例では、上記のとおり状況情報のサイズに応じた決定を行うことで、通信や処理の負荷を小さくする効果が高められる。
【０１３２】
また、通知手段１０４は、通知の対象となる処理の状況が変化する度合いに応じて上記の決定を行ってもよい。状況が変化する度合いとは、例えば決められた期間（１分間など）に状況が変化する回数によって表される。例えばコピー処理が行われる場合であれば、コピー枚数は１分間に数十回変化し、用紙のサイズや画質などのコピーのパラメータは１分間に１度も変化しないか、あっても数回変化する程度である。通知手段１０４は、この変化する度合いを表す回数が閾値以上であれば第１の通知を行うと決定し、閾値未満であれば第２の通知を行うと決定する。
【０１３３】
コピー枚数のように頻繁に変化する状況は、発生してから通知までに要する時間が長くなると、通知される状況の価値が低くなる場合がある。例えばコピーが完了しているのに途中のコピー枚数が表示されると、ユーザはコピーが終わっていることに気付かないことになる。この場合、通知されるコピー枚数の価値は、正確なコピー枚数が通知される場合に比べて低くなる。一方で、用紙のサイズや画質などのパラメータは、それほど頻繁に変化しない状況であるから、発生してから通知までに要する時間が長くなっても、通知される状況の価値もそれほど低くならない。本変形例では、上記のとおり処理の状況が変化する度合いに応じた決定を行うことで、通知される状況の価値の低下が抑制される。
【０１３４】
なお、上述した状況情報のサイズや状況が変化する度合いが状況の種類と対応していれば、実施形態のように発生した状況の種類に応じた決定を行った場合でも、通信や処理の負荷を小さくする効果が高められ、通知される状況の価値の低下が抑制される。このように、第１及び第２の通知のいずれを行うかについて、上述したどの方法で決定した場合であっても、それらの方法での決定を行わない場合に比べて、通知の有用性が高められる。
【０１３５】
［２−８］第１及び第２の通知の切り替え
通知手段１０４は、表示装置４から得られる情報に基づいて、第１及び第２の通知を切り替えてもよい。例えば、通知手段１０４は、第１の通知及び第２の通知のうちの一方を行ったあとに表示装置４において予め定められた操作が行われた場合には、それ以降、他方の通知を行う。予め定められた操作としては、例えば、第１の通知における第１の通信のあとに行われるＨＴＴＰリクエストを送信するための操作（通知要求のための操作。例えば図２０に示す画像Ｃ１３を選択する操作）が用いられる。この場合、通知要求のための操作が行われて第１の通知が一度行われると、それ以降は第２の通知が行われることになる。
【０１３６】
他にも、第２の通知が行われた場合に、表示された状況情報を閉じる操作やブラウザを最小化する操作などが用いられてもよいし、処理の状況を表示する画面（例えば図７に示す画面）から操作画像を表示する画面（例えば図６に示す画面）に切り替える操作が用いられてもよい。また、表示装置４の表示手段４０１が第１及び第２の通知を切り替えるための操作画像を表示して、その切替用の操作画像を選択する操作が用いられてもよい。これらの操作が行われると、例えば表示装置４の要求手段が予め定められた操作が行われた旨を記述したＨＴＴＰリクエストを送信し、通知手段１０４がそのＨＴＴＰリクエストの記述から予め定められた操作が行われたと判断してそれ以降の通知を第２の通知から第１の通知に切り替える。なお、これらの操作は、第１の通知から第２の通知への切り替えの用いられてもよい。
【０１３７】
例えば第１の通知が行われてＨＴＴＰリクエストを送信するための操作を行うのがユーザにとって手間である場合には、上記の切り替えにより第２の通知を行わせることで、その手間が省かれるようになる。また、通知対象の状況の中に有用性の低いものが含まれている場合に第２の通知が行われると、有用性の低い状況も必ず通知されるため、通信や処理の負荷が高くなってしまうが、上記の切り替えにより第１の通知を行わせることで、有用性の低い状況は通知させないように選択する機会が提供される。このように、本変形例によれば、ユーザの手間の軽減と通知の負荷の軽減とのバランスが取れるようになる。
【０１３８】
［２−９］処理の状況に対応付けられた画像の表示
提供手段１０２は、処理の状況に対応付けられた画像（以下「状況画像」という）を表示装置４に提供してもよい。
図２４は、状況画像の一例を示す図である。図２４（ａ）では、コピー処理の状況を表す状況情報Ｃ７とともに、状況画像Ｅ１、Ｅ２及びＥ３が表示されている。状況画像Ｅ３は、情報処理装置１０の外観を表している。状況画像Ｅ１は、情報処理装置１０に用紙が入っていく様子を表したアニメーションの画像であり、矢印Ｄ１の方向に移動する様子が繰り返し表示される。状況画像Ｅ２は、情報処理装置１０から用紙が出ていく様子を表したアニメーションの画像であり、矢印Ｄ２の方向に移動する様子が繰り返し表示される。
【０１３９】
例えば、状況画像Ｅ１にはコピー処理やスキャン処理における原稿の読み取り中という状況が対応付けられ、状況画像Ｅ２にはコピー処理やプリント処理における画像を形成した媒体の出力中という状況が対応付けられているものとする。通知手段１０４が状況画像に対応付けられた状況として例えば原稿の読み取り中という状況を通知すると、表示装置４の表示手段４０１は、提供手段１０２から提供された状況画像のうち、通知された状況に対応付けられた状況画像であるＥ１を表示する。また、通知手段１０４が画像を形成した媒体の出力中という状況を通知すると、表示装置４の表示手段４０１は、通知された状況に対応付けられた状況画像であるＥ２を表示する。
【０１４０】
図２４（ｂ）では、用紙切れという状況を表す状況情報Ｃ８とともに、状況画像Ｅ３及びＥ４が表示されている。状況画像Ｅ４は、情報処理装置１０のうち用紙を収納する部分を表した画像であり、用紙切れという状況に対応付けられた画像である。通知手段１０４が用紙切れという状況を通知することで、表示手段４０１が状況画像Ｅ３及びＥ４を表示する。図２４に示す状況画像Ｅ１、Ｅ２及びＥ４が表示されることで、状況画像が表示されない場合に比べて、それぞれに対応付けられた状況となっていることがユーザに伝わりやすくなる。
【０１４１】
また、各状況画像は提供手段１０２により予め提供されているため、通知手段１０４が状況を通知する際に送信するデータ（ＨＴＴＰレスポンスやＷｅｂＳｏｃｋｅｔの規格に準拠したＸＭＬデータ）には、状況画像を含めなくてよい。これにより、本変形例においては、前述したように通知した状況がユーザに伝わりやすくなるとともに、通知における通信の負荷が軽減されることになる。
【０１４２】
［２−１０］通知要求の有無
要求手段４０２は、実施形態では、予め定められた操作が行われた場合に通知要求を行ったが、これに限らない。例えば、要求手段４０２は、第１の通信が行われてから決められた時間（例えば１分間など）が経過するまでに予め定められた操作が行われなかった場合には通知要求を行い、その時間が経過するまでにその操作が行われた場合には通知要求を行わなくてもよい。
【０１４３】
他にも、要求手段４０２は、例えば発生した状況の種類に基づいて通知要求を行うか否かを決定してもよい。この場合、通知手段１０４が、第１の通信において、発生した状況の種類を記述したＸＭＬデータを送信する。表示装置４の記憶部には、通知要求を行う状況の種類の一覧が記憶されており、要求手段４０２は、受信したＸＭＬデータに記述された状況の種類がその一覧に含まれている場合に、状況の通知を要求するＨＴＴＰリクエストを送信する。要求手段４０２は、通知された状況の種類がその一覧に含まれていない場合には、ＨＴＴＰリクエストを送信しない。
【０１４４】
また、要求手段４０２は、発生した状況の種類の他にも、上述した発生した状況を表す情報のサイズやその状況が変化する度合いに基づいて通知要求を行うか否かを決定してもよい。この場合も、通知手段１０４が、これらの情報を第１の通信により通知し、要求手段４０２が、第１の通信により通知されたこれらの情報に応じて状況の通知を要求するＨＴＴＰリクエストを送信するか否かを決定する。
【０１４５】
以上で述べた第１の通信により通知される情報を用いることで、通知手段１０４が上述した第１及び第２の通知の決定を行う場合のように、通信や処理の負荷を小さくする効果が高められたり、通知される状況の価値の低下が抑制されたりする。つまり、本変形例によれば、ＨＴＴＰリクエストを送信するか否かについて本発明に係る方法での決定を行わない場合に比べて、通知の有用性が高められる。
【０１４６】
［２−１１］発明のカテゴリ
本発明は、情報処理装置、表示装置、通信機器及びこれらの装置を備える情報処理システムの他にも、これらの装置が実施する処理を実現するための情報処理方法としても捉えられるものである。また、本発明は、情報処理装置及び表示装置というコンピュータを、上述した各手段として機能させるためのプログラムとしても捉えられるものである。このプログラムは、それを記憶させた光ディスク等の記録媒体の形態で提供されたり、インターネット等の通信回線を介して、コンピュータにダウンロードさせ、それをインストールして利用可能にするなどの形態でも提供されたりする。
【符号の説明】
【０１４７】
１…情報処理システム、２…通信回線、３…通信機器、１０…情報処理装置、２０…ユーザ装置、３０…操作装置、１１、２１、３１…制御部、１２、２２、３２…記憶部、１３…画像読取部、１４…画像形成部、１５…第１通信部、１６…第２通信部、１７…接続部、２３、３３…通信部、２４、３４…表示部、２５、３５…操作部、１０１…仲介手段、１０２…提供手段、１０３…処理手段、１０４…通知手段、１０５…制御手段、２００、３００…操作手段、２０１、３０１…表示手段、２０２、３０２…要求手段
【図１】
0006492486.tif 000002
【図２】
0006492486.tif 000003
【図３】
0006492486.tif 000004
【図４】
0006492486.tif 000005
【図５】
0006492486.tif 000006
【図６】
0006492486.tif 000007
【図７】
0006492486.tif 000008
【図８】
0006492486.tif 000009
【図９】
0006492486.tif 000010
【図１０】
0006492486.tif 000011
【図１１】
0006492486.tif 000012
【図１２】
0006492486.tif 000013
【図１３】
0006492486.tif 000014
【図１４】
0006492486.tif 000015
【図１５】
0006492486.tif 000016
【図１６】
0006492486.tif 000017
【図１７】
0006492486.tif 000018
【図１８】
0006492486.tif 000019
【図１９】
0006492486.tif 000020
【図２０】
0006492486.tif 000021
【図２１】
0006492486.tif 000022
【図２２】
0006492486.tif 000023
【図２３】
0006492486.tif 000024
【図２４】
0006492486.tif 000025